(57)【要約】      （修正有）【課題】ソレノイド等の変位機構により扉を開扉する貯蔵庫において、変位機構の小型化を図る。【解決手段】開扉機構２０は、貯蔵庫本体に回動可能に取付けられたてこ部材３６であって、回動軸３８を支点として回動可能な力点側取付部４６、及び力点側取付部４６の回動により、回動軸３８を支点として力点側取付部４６の変位方向と逆方向に変位する作用点側取付部４８を有するてこ部材３６と、力点側取付部４６に取付けられ、力点側取付部４６を変位させるソレノイド３２と、作用点側取付部４８に取付けられ、閉扉状態において扉１６Ａの後面に接触しており、作用点側取付部４８の変位に併せて前方に変位し、扉１６Ａを前方に押出す扉押出部４０であって、扉１６Ａを前方に押出すことによって、扉１６Ａを閉扉状態から開扉状態に移行させる扉押出部４０と、を備える。【選択図】図２
2020067189.tif 000002
【特許請求の範囲】
【請求項１】
前方に開口部を有する箱状の貯蔵庫本体と、
前記貯蔵庫本体の前記開口部に取付けられ、前後方向に開閉回動可能な扉と、
前記扉が閉まった状態である閉扉状態の前記扉を、前記扉が開いた状態である開扉状態に移行させる開扉機構と、を備える貯蔵庫であって、
前記開扉機構は、
前記貯蔵庫本体に回動可能に取付けられたてこ部材であって、回動軸を支点として回動可能な力点側取付部、及び、前記力点側取付部の回動による変位により、前記回動軸を支点として前記力点側取付部の変位方向と逆方向に変位する作用点側取付部を有するてこ部材と、
前記力点側取付部に取付けられ、前記力点側取付部を変位させる変位機構と、
前記作用点側取付部に取付けられ、前記閉扉状態において前記扉の後面に接触しており、前記作用点側取付部の変位に併せて前方に変位し、前記扉を前方に押出す扉押出部であって、前記扉を前方に押出すことによって、前記扉を閉扉状態から開扉状態に移行させる扉押出部と、を備える貯蔵庫。
【請求項２】
前記変位機構は、後方に変位可能な棒状のプランジャを有するソレノイドとされ、
前記力点側取付部は、前記プランジャに取付けられ、
前記プランジャの後方への変位により、前記力点側取付部は後方に変位し、前記力点側取付部の後方への変位により、前記作用点側取付部は前方に変位し、前記扉押出部は、前記扉を前方に押出す請求項１に記載の貯蔵庫。
【請求項３】
前記開扉状態における前記扉が前記閉扉状態から回動した角度である回動角度が、第１回動角度よりも小さい場合に、前記扉を前記開扉状態から前記閉扉状態に移行させる自閉機構を備えており、
前記開扉機構により前記開扉状態となった前記扉の回動した角度である第２回動角度は、前記第１回動角度よりも小さい請求項１又は請求項２に記載の貯蔵庫。
【請求項４】
前記扉押出部は、板状をなしており、
前記扉押出部の前記閉扉状態における前記扉の後面と対向する側の面は湾曲する湾曲面とされ、前記扉の後面と前記湾曲面とは接点部を介して接触しており、
前記閉扉状態から前記開扉状態への移行により、前記湾曲面上の前記接点部は、前記回動軸から離れる方向に変位する請求項１から請求項３のいずれか一項に記載の貯蔵庫。
【請求項５】
前記扉押出部の前記湾曲面の反対側の面である背面には、弾性変形可能とされ、後方に突出する突部が設けられており、
前記貯蔵庫本体には、前記閉扉状態において、前記突部が前方から弾性的に接触する接触壁が設けられている請求項４に記載の貯蔵庫。
【発明の詳細な説明】
【技術分野】
【０００１】
本発明は、貯蔵庫に関する。
【背景技術】
【０００２】
従来、貯蔵庫として、例えば特許文献１に記載のものが知られており、特許文献１には、扉開放用ユニットを備える貯蔵庫が開示されている。扉開放ユニットは、円柱状をなし、通電することで軸方向の一方に変位可能なプランジャを有するソレノイドと、プランジャと一体に移動する押出し棒と、を有している。貯蔵庫の扉は、マグネットを有するガスケットにより吸着されており、扉開放用ユニットの押出し棒が扉を押出すことで、扉が開放される。
【先行技術文献】
【特許文献】
【０００３】
【特許文献１】特開２００１−０５６１７６号公報
【発明の概要】
【発明が解決しようとする課題】
【０００４】
上記構成において、ソレノイドは、ガスケットによって吸着されている扉を、扉の吸着力を上回る力で押し出す必要があり、ソレノイドが大型化するという問題がある。
【０００５】
本発明は上記のような事情に基づいて完成されたものであって、扉の吸着力よりも低い力で扉を押し出すことが可能な扉開放用ユニットを有する貯蔵庫を提供することを目的とする。
【課題を解決するための手段】
【０００６】
上記課題を解決するために、本発明の貯蔵庫は、前方に開口部を有する箱状の貯蔵庫本体と、前記貯蔵庫本体の前記開口部に取付けられ、前後方向に開閉回動可能な扉と、前記扉が閉まった状態である閉扉状態の前記扉を、前記扉が開いた状態である開扉状態に移行させる開扉機構と、を備える貯蔵庫であって、前記開扉機構は、前記貯蔵庫本体に回動可能に取付けられたてこ部材であって、回動軸を支点として回動可能な力点側取付部、及び、前記力点側取付部の回動による変位により、前記回動軸を支点として前記力点側取付部の変位方向と逆方向に変位する作用点側取付部を有するてこ部材と、前記力点側取付部に取付けられ、前記力点側取付部を変位させる変位機構と、前記作用点側取付部に取付けられ、前記閉扉状態において前記扉の後面に接触しており、前記作用点側取付部の変位に併せて前方に変位し、前記扉を前方に押出す扉押出部であって、前記扉を前方に押出すことによって、前記扉を閉扉状態から開扉状態に移行させる扉押出部と、を備える。
【０００７】
変位機構が力点側取付部を変位させることによって、回動軸を支点として作用点側取付部が力点側取付部の変位方向と逆方向に変位し、作用点側取付部の変位に併せて扉押出部が前方に変位することで、扉を前方に押出すことができる。このとき、扉を押し出す力は、「変位機構が力点側取付部を回動させる力×力点側取付部と支点との間の距離÷支点と作用点（即ち、扉押出部と扉の後面との接点部）との間の距離」により求められ、てこの力により扉を押出すことができる。このため、従来のように、変位機構が前方に押出す力によって、扉を直接前方に押出す構成と比較して、弱い力で扉を押出すことができ、例えば、変位機構としてソレノイドを用いる場合、ソレノイドを小型化することができる。
【０００８】
また、前記変位機構は、後方に変位可能な棒状のプランジャを有するソレノイドとされ、
前記力点側取付部は、前記プランジャに取付けられ、前記プランジャの後方への変位により、前記力点側取付部は後方に変位し、前記力点側取付部の後方への変位により、前記作用点側取付部は前方に変位し、前記扉押出部は、前記扉を前方に押出す構成としても良い。
【０００９】
変位機構として、ソレノイドを用いることができる。
【００１０】
また、前記開扉状態における前記扉が前記閉扉状態から回動した角度である回動角度が、第１回動角度よりも小さい場合に、前記扉を前記開扉状態から前記閉扉状態に移行させる自閉機構を備えており、前記開扉機構により前記開扉状態となった前記扉の回動した角度である第２回動角度は、前記第１回動角度よりも小さい構成としても良い。
【００１１】
第２回動角度は、第１回動角度よりも小さいため、誤って開扉機構が作動し、扉が開扉状態になってしまった際に、扉を、自閉機構により自動的に閉扉状態に移行させることができ、扉が開扉状態で放置されることを抑制することができる。
【００１２】
また、前記扉押出部は、板状をなしており、前記扉押出部の前記閉扉状態における前記扉の後面と対向する側の面は湾曲する湾曲面とされ、前記扉の後面と前記湾曲面とは接点部を介して接触しており、前記閉扉状態から前記開扉状態への移行により、前記湾曲面上の前記接点部は、前記回動軸から離れる方向に変位する構成としても良い。
【００１３】
貯蔵庫の扉は、一般的に、マグネットガスケットにより貯蔵庫本体に吸着されており、閉扉状態から開扉状態に移行させる時（即ち、マグネットガスケットを貯蔵庫本体から引きはがす時）が、扉押出部の扉を押出す力が最も大きくなる。ここで、上記構成では、扉押出部の扉の後面と対向する面は、湾曲面とされるため、扉押出部が作用点側取付部の変位により前方に変位し、扉を押出すと、扉の後面と接触する湾曲面上の接点部（即ち、作用点）は、扉が開くに連れて、支点である回動軸から離れる方向に変位する。従って、閉扉状態における接点部の位置は、回動軸から最も近い距離となり、マグネットガスケットから扉を引きはがす時に、大きな力で扉を押出すことができる。一方、扉押出部が、開扉状態となった扉をさらに押出すのに要する力は、接点部が回動軸から離れる方向に変位するため、マグネットガスケットから扉を引きはがす時よりも弱い力となる。しかしながら、一般的に、マグネットガスケットから引きはがされた扉を回動させるのに大きな力を要しないことから、扉を押出すことができる。また、扉押出し部の扉の後面と対向する面は湾曲面となっていることから、扉の後面と対向する面が平面状をなす構成と比較して、扉が開くに連れて接点部の位置が、閉扉状態における接点部の位置よりも、湾曲面上の後方の位置に変位するため、第２回動角度が大きくなり、開扉距離（ストローク）を大きくすることができる。また、湾曲面の湾曲度合を調整することで、第２回動角度を調整することができる。
【００１４】
また、前記扉押出部の前記湾曲面の反対側の面である背面には、弾性変形可能とされ、後方に突出する突部が設けられており、前記貯蔵庫本体には、前記閉扉状態において、前記突部が前方から弾性的に接触する接触壁が設けられている構成としても良い。
【００１５】
扉を閉める際に、扉の後面が扉押出部に前方から接触し、扉押出部の背面が貯蔵庫本体の接触壁に向けて変位することとなるが、この際に、扉押出部の突部が接触壁に当たり弾性変形することで、扉押出部の背面が接触壁に当たることにより生じる異音を抑えることができる。
【発明の効果】
【００１６】
本発明によれば、ソレノイド等の変位機構により扉を開扉する貯蔵庫において、てこの力により扉を開扉することで、変位機構の小型化を図ることが可能な貯蔵庫を提供することができる。
【図面の簡単な説明】
【００１７】
【図１】冷却貯蔵庫の斜視図
【図２】閉扉状態における開扉機構付近の拡大図
【図３】平面視から視た、閉扉状態における開扉機構付近の拡大図
【図４】開扉状態における開扉機構付近の拡大図
【図５】平面視から視た、開扉状態における開扉機構付近の拡大図
【図６】自閉機構の構造を示す分解斜視図
【図７】てこ部材の斜視図
【図８】てこ部材の平面図
【図９】てこ部材の底面図
【図１０】てこ部材の背面図
【発明を実施するための形態】
【００１８】
本発明の一実施形態を図１から図１０によって説明する。以下の説明では、図１から図１０に示すＸ方向を前方向、Ｙ方向を右方向、Ｚ方向を上方向とする。
本実施形態では、図１に示すように、貯蔵庫として４ドア式の冷却貯蔵庫１０を例示する。冷却貯蔵庫１０は、図１に示すように、前方に開口する開口部１２が設けられた箱状の貯蔵庫本体１４と、貯蔵庫本体１４の開口部１２に対して、開口方向に開閉回動可能に取り付けられた扉１６と、を備える。
【００１９】
貯蔵庫本体１４は、断熱箱体であり、貯蔵庫本体１４の開口部１２内は、貯蔵物が配される貯蔵室とされる。貯蔵庫本体１４には、上下方向に２組配列された左右一対の扉１６が取り付けられている。貯蔵庫本体１４の天井壁１８の上面側は、貯蔵庫本体１４の貯蔵室内を冷却する冷却装置（図示せず）、及び、開扉機構２０が収容される機械室２１とされる。ここで、開扉機構２０は、扉１６が閉じた状態である閉扉状態（図２、図３に示す様態）の扉１６を、扉１６が開いた状態である開扉状態（図４、図５に示す状態）に移行させるための装置（即ち、扉１６を開ける装置）である。本実施形態では、４枚の扉１６のうち正面視において右上側に位置する扉１６Ａを開けるための開扉機構２０を例示する。以下の説明では、開扉機構２０によって開けられる右上側の扉１６に符号１６Ａを付し、他の扉１６と区別する。開扉機構２０は、機械室２１の前端部において扉１６Ａの上方となる箇所に配されている。
【００２０】
貯蔵庫本体１４の開口縁１２Ａの左右両端部には、図１に示すように、扉１６、１６Ａを支持するヒンジ部材２４Ａ、２４Ｂ、２４Ｃが上下方向に所定の間隔を開けて配されている。ヒンジ部材２４Ａは、開口縁１２Ａの上端側に位置し、ヒンジ部材２４Ｃは、開口縁１２Ａの下端側に位置し、ヒンジ部材２４Ｂは、ヒンジ部材２４Ａとヒンジ部材２４Ｃとの間に位置している。
【００２１】
冷却貯蔵庫１０には、開扉状態における扉１６Ａの回動角度が第１回動角度Ａ１よりも小さい場合に、閉扉状態に移行させる自閉機構３０が設けられている。自閉機構３０は、扉１６、１６Ａの回動軸が扉１６、１６Ａが自閉する方向に傾くように、ヒンジ部材２４Ａ、２４Ｂ、２４Ｃによって扉１６、１６Ａを支持する機構である。以下に、自閉機構３０について、図１、図５、図６を用いて説明する。
【００２２】
ヒンジ部材２４Ｂ（図６に示す）は、板状をなしており、上面から上方に突出する上向きヒンジピン２６Ａと、下面から下方に突出する下向きヒンジピン２６Ｂと、を備えている。上向きヒンジピン２６Ａの軸Ｚ１は、下向きヒンジピン２６Ｂの軸Ｚ２よりも、前方に位置しており、扉１６、１６Ａには、それぞれの上向きヒンジピン２６Ａ及び下向きヒンジピン２６Ｂと対応する位置に、上向きヒンジピン２６Ａ及び下向きヒンジピン２６Ｂを挿通する挿通孔２８がそれぞれ設けられている。
【００２３】
図示しないものの、ヒンジ部材２４Ａには、下方に突出する下向きヒンジピンが設けられており、扉１６Ａには、ヒンジ部材２４Ａの下向きヒンジピンを挿通する挿通孔が設けられている。ヒンジ部材２４Ａの下向きヒンジピンは、ヒンジ部材２４Ｂの下向きヒンジピン２６Ｂの軸Ｚ２と同軸上に配されている。また、図示しないものの、ヒンジ部材２４Ｃには、上方に突出する上向きヒンジピンが設けられており、扉１６には、ヒンジ部材２４Ｃの上向きヒンジピンを挿通する挿通孔が設けられている。ヒンジ部材２４Ｃの上向きヒンジピンは、ヒンジ部材２４Ｂの上向きヒンジピン２６Ａの軸Ｚ１と同軸上に配されている。
【００２４】
扉１６Ａは、ヒンジ部材２４Ａの下向きヒンジピン及びヒンジ部材２４Ｂの上向きヒンジピン２６Ａを軸として、回転回動可能に貯蔵庫本体１４に取付けられている。このとき、ヒンジ部材２４Ｂの上向きヒンジピン２６Ａの軸Ｚ１は、ヒンジ部材２４Ａの下向きヒンジピンの軸（軸Ｚ２と同軸）よりも前方にずれていることから、扉１６Ａの回動軸は前方に傾斜し、開扉状態の扉１６Ａは、閉まる方向に付勢されることとなる。このとき、扉１６Ａの回動角度が第１回動角度Ａ１（図５に示す）よりも小さい場合は、扉１６Ａは自閉可能となっている。第１回動角度Ａ１は、扉１６Ａの回動軸の傾斜角度が大きい程、大きくなる。下側の扉１６についても同様に自閉可能となっている。
【００２５】
開扉機構２０は、図２から図５に示すように、ソレノイド（変位機構）３２と、棒状のプランジャ３４（可動鉄芯）と、てこ部材３６と、回動軸３８と、板状をなし、軟質材により構成される扉押出部４０と、を備える。
【００２６】
プランジャ３４の先端には、ピン４２が取り付けられている。ピン４２は、固定部材４４によって前後方向について変位可能に固定されている。具体的には、ピン４２は、固定部材４４が有する貫通孔４４Ａに挿通されている。貫通孔４４Ａは前後方向に長い長手状をなし、ピン４２は貫通孔４４Ａ内部において前後方向に変位することが可能となっている。ソレノイド３２は、プランジャ３４を後方に変位させることが可能な吸引式ソレノイドとされる。
【００２７】
てこ部材３６は、図７から図１０に示すように、上下に間隔を空けて対向配置された一対の板材によって構成されており、全体としては左右方向に長い長手状をなしている。てこ部材３６は、上下方向に延びる回動軸３８を中心として回動可能となっている。
【００２８】
図２、図４に示すように、てこ部材３６の一端部はプランジャ３４に、ピン４２を介して取付けられる力点側取付部４６とされる。力点側取付部４６には、ピン４２が挿通される貫通孔４６Ａが形成されている。貫通孔４６Ａは左右方向に長い長手状をなしている。また、てこ部材３６の他端部には、下方に突出する板状の作用点側取付部４８が設けられている。作用点側取付部４８には、扉押出部４０が取付けられている。
【００２９】
図３に示すように、扉押出部４０の、扉１６Ａの後面１６Ｂと対向する側の面は、湾曲する湾曲面４０Ａとされており、閉扉状態において、扉押出部４０の湾曲面４０Ａは、扉１６Ａの後面１６Ｂと接点部４０Ｂを介して接触している。閉扉状態における、力点側取付部４６と回動軸３８との距離Ｌ１は、扉押出部４０の接点部４０Ｂと回動軸３８との距離Ｌ２よりも大きい値で設定されている。
【００３０】
図８、図９に示すように、扉押出部４０の湾曲面４０Ａの反対側の面である背面４０Ｃには、弾性変形可能なリング状の突部４０Ｄが突設されている。図３に示すように、閉扉状態において、突部４０Ｄは、貯蔵庫本体１４の開口部１２の開口縁（接触壁）１２Ａに前方から弾性的に接触しており、背面４０Ｃ及び開口部１２の開口縁１２Ａに挟まれることで、弾性変形している。このような突部４０Ｄを設けることで、扉１６Ａを閉める際に、扉押出部４０の突部４０Ｄが開口縁１２Ａに当たり弾性変形して衝撃を吸収することで、扉押出部４０の背面４０Ｃが開口縁１２Ａに当たることにより生じる異音を抑えることができる。
【００３１】
図３、図５に示すように、ソレノイド３２が駆動することで、プランジャ３４（ひいてはピン４２）が後方に変位すると、てこ部材３６が回動軸３８を中心として回動する。これにより、力点側取付部４６は後方に変位し、作用点側取付部４８及び扉押出部４０は、力点側取付部４６の変位方向（即ち、後方）とは逆の前方に変位し、扉押出部４０によって扉１６Ａが前方に押し出され、扉１６Ａは、閉扉状態から開扉状態に移行する。つまり、てこ部材３６の力点側取付部４６Ａが力点、回動軸３８が支点、扉押出部４０（より詳しくは接点部４０Ｂ）が作用点であり、扉押出部４０が扉１６Ａを押し出す力Ｆ１は、ソレノイド３２の吸引力（プランジャ３４が後方に変位する力）をＦ２とすると、以下のように算出される。
Ｆ１＝Ｆ２×Ｌ１÷Ｌ２…（式１）
図３に示すように、扉１６Ａは、マグネットガスケット５２によって貯蔵庫本体１４に対して吸着されている。このため、扉１６Ａを開くためには、マグネットガスケット５２の吸着力よりも大きい力で扉１６を前方に押圧し、貯蔵庫本体１４からマグネットガスケット５２を引きはがす必要がある。図３に示す閉扉状態においては、上述の通りＬ１＞Ｌ２となっていることから、上記（式１）より、扉押出部４０が扉１６Ａを押し出す力Ｆ１は、ソレノイド３２のプランジャ３４の吸引力Ｆ２よりも強くなる。このように、てこ部材３６を備えることで、プランジャ３４の吸引力を増幅して扉１６Ａに伝えることができるため、前方に変位するプランジャで直接的に扉１６Ａを押圧する構成と比べて、吸引力の低いソレノイド３２を用いることができ、ソレノイド３２の小型化を図ることができる。
【００３２】
扉１６Ａが、閉扉状態から開扉状態に移行する際に、扉押出部４０の湾曲面４０Ａと扉１６Ａの後面１６Ｂとの接点部４０Ｂは、図３、図５に示すように、支点となる回動軸３８から離れる方向に変位する。これにより、図５に示す開扉状態における回動軸３８と接点部４０Ｂとの間の距離Ｌ２Ａは、閉扉状態における距離Ｌ２よりも長くなり、扉押出部４０が扉１６Ａを押し出す力は、閉扉状態における扉押出部４０が扉１６Ａを押し出す力よりも小さくなる。しかしながら、一般的に、扉１６Ａに取付けられているマグネットガスケット５２を貯蔵庫本体１４から引きはがすときの力よりも弱い力で、扉１６Ａを回動させることができるため、扉１６Ａを押し出すことができる。さらに、接点部４０Ｂの位置は、扉１６Ａの回動により湾曲面４０Ａ上の後方の位置に変位するため、開扉機構２０によって扉１６Ａが押し出された際の扉１６Ａの回動角度（以下、「第２回動角度Ａ２」とする）を大きくすることができ、開扉距離（ストローク）を大きくすることができる。また、湾曲面４０Ａの湾曲度合を調整することで、第２回動角度Ａ２を調整することができる。
【００３３】
図５に示すように、第２回動角度Ａ２は、自閉機構３０が働く角度である第１回動角度Ａ１よりも小さくなるように設定されている。これにより、誤って開扉機構２０が作動し、扉１６Ａが開扉状態になってしまった際に、扉１６Ａを、自閉機構３０により自動的に閉扉状態に移行させることができ、扉１６Ａが開扉状態で放置されることを抑制することができる。
【００３４】
図２に示すように、回動軸３８にはつる巻きばね５０が取り付けられている。つる巻きばね５０の一端部は固定部材４４に係止され、他端部はてこ部材３６に係止されている。つる巻きばね５０は、プランジャ３４が後方に変位することで回動したてこ部材３６を初期位置（図３参照）まで復帰させる機能を担っている。
【００３５】
扉１６Ａの取手５４には、図示しないものの、開扉機構２０を動作させるためのスイッチが設けられている。スイッチは、例えば、静電センサとされ、ユーザが取手５４に触れることで、スイッチがオンされると、ソレノイド３２が駆動することで、扉１６Ａを開けることができる。なお、スイッチは、静電センサに限定されず、例えば押しボタン式のスイッチ等を用いてもよい。
【００３６】
次に本実施形態の効果について説明する。本実施形態において、ソレノイド（変位機構）３２が力点側取付部４６を変位させることによって、回動軸３８を支点として作用点側取付部４８が力点側取付部４６の変位方向（後方）と逆方向（前方）に変位し、作用点側取付部４８の変位に併せて扉押出部４０が前方に変位することで、扉１６Ａを前方に押出すことができる。このとき、扉１６Ａを押し出す力Ｆ１は、「ソレノイド（変位機構）３２が力点側取付部４６を回動させる力Ｆ２×力点側取付部４６と支点との間の距離Ｌ１÷支点と作用点（即ち、扉押出部４０と扉１６Ａの後面１６Ｂとの接点部４０Ｂ）との間の距離Ｌ２」により求められ、てこの力により扉１６Ａを押出すことができる。このため、従来のように、ソレノイドが前方に押出す力によって、扉１６Ａを直接前方に押出す構成と比較して、弱い力で扉１６Ａを押出すことができ、ソレノイド（変位機構）３２を小型化することができる。
【００３７】
また、変位機構として、ソレノイド３２を用いることができる。
【００３８】
また、第２回動角度Ａ２は、第１回動角度Ａ１よりも小さいため、誤って開扉機構２０が作動し、扉１６Ａが開扉状態になってしまった際に、扉１６Ａを、自閉機構３０により自動的に閉扉状態に移行させることができ、扉１６Ａが開扉状態で放置されることを抑制することができる。
【００３９】
また、冷却貯蔵庫１０の扉１６Ａは、一般的に、マグネットガスケット５２により貯蔵庫本体１４に吸着されており、閉扉状態から開扉状態に移行させる時（即ち、マグネットガスケット５２を貯蔵庫本体１４から引きはがす時）が、扉押出部４０の扉１６Ａを押出す力Ｆ１が最も大きくなる。ここで、本実施形態では、扉押出部４０の扉１６Ａの後面１６Ｂと対向する面は、湾曲面４０Ａとされるため、扉押出部４０が作用点側取付部４８の変位により前方に変位し、扉１６Ａを押出すと、扉１６Ａの後面１６Ｂと接触する湾曲面４０Ａ上の接点部４０Ｂ（即ち、作用点）は、扉１６Ａが開くに連れて、支点である回動軸３８から離れる方向に変位する。従って、閉扉状態における接点部４０Ｂの位置は、回動軸３８から最も近い距離Ｌ２となり、マグネットガスケット５２から扉１６Ａを引きはがす時に、大きな力で扉１６Ａを押出すことができる。一方、扉押出部４０が、開扉状態となった扉１６Ａをさらに押出すのに要する力は、接点部４０Ｂが回動軸３８から離れる方向に変位するため、マグネットガスケット５２から扉１６Ａを引きはがす時よりも弱い力となる。しかしながら、一般的に、マグネットガスケット５２から引きはがされた扉１６Ａを回動させるのに大きな力を要しないことから、扉１６Ａを押出すことができる。また、扉押出部４０の扉１６Ａの後面１６Ｂと対向する面は湾曲面４０Ａとなっていることから、扉１６Ａの後面１６Ｂと対向する面が平面状をなす構成と比較して、扉１６Ａが開くに連れて接点部４０Ｂの位置が、閉扉状態における接点部４０Ｂの位置よりも、湾曲面４０Ａ上の後方の位置に変位するため、第２回動角度Ａ２が大きくなり、開扉距離（ストローク）を大きくすることができる。また、湾曲面４０Ａの湾曲度合を調整することで、第２回動角度Ａ２を調整することができる。
【００４０】
また、扉１６Ａを閉める際に、扉１６Ａの後面１６Ｂが扉押出部４０に前方から接触し、扉押出部４０の背面４０Ｃが貯蔵庫本体１４の開口縁（接触壁）１２Ａに向けて変位することとなるが、この際に、扉押出部４０の突部４０Ｄが開口縁（接触壁）１２Ａに当たり弾性変形することで、扉押出部４０の背面４０Ｃが開口縁（接触壁）１２Ａに当たることにより生じる異音を抑えることができる。
【００４１】
＜他の実施形態＞
本発明は上記記述及び図面によって説明した実施形態に限定されるものではなく、例えば次のような実施形態も本発明の技術的範囲に含まれる。
【００４２】
（１）上記実施形態では、貯蔵庫として冷却貯蔵庫１０を例示したが、これに限定されない。貯蔵庫として、ショーケース等を例示することができる。
【００４３】
（２）上記実施形態では、開扉機構２０が機械室２１に配されている構成を例示したが、これに限定されない。開扉機構２０の配置箇所は、回動させる扉１６に応じて適宜変更可能である。
【００４４】
（３）上記実施形態では、変位機構として吸引式のソレノイド３２を例示したが、これに限定されない。例えば、アクチュエータにより力点側取付部を後方に変位させる構成を例示することができる。
【符号の説明】
【００４５】
１０：冷却貯蔵庫（貯蔵庫）
１２：開口部
１２Ａ：開口縁（接触壁）
１４：貯蔵庫本体
１６，１６Ａ：扉
１６Ｂ：後面
２０：開扉機構
３０：自閉機構
３２：ソレノイド（変位機構）
３４：プランジャ
３６：てこ部材
３８：回動軸
４０：扉押出部
４０Ａ：湾曲面
４０Ｂ：接点部
４０Ｃ：背面
４０Ｄ：突部
４６：力点側取付部
４８：作用点側取付部
Ａ１：第１回動角度
Ａ２：第２回動角度
【図１】
2020067189.tif 000003
【図２】
2020067189.tif 000004
【図３】
2020067189.tif 000005
【図４】
2020067189.tif 000006
【図５】
2020067189.tif 000007
【図６】
2020067189.tif 000008
【図７】
2020067189.tif 000009
【図８】
2020067189.tif 000010
【図９】
2020067189.tif 000011
【図１０】
2020067189.tif 000012